(57)【要約】      （修正有）【課題】車両サイドミラーワイパー構造を提供する。【解決手段】サイドミラーの鏡座の裏面に、駆動モータ２が設置され、そのスピンドル２０に駆動歯車２１が設けられ、上記鏡座の裏面に設けられた少なくとも一つの支軸３上に、駆動歯車２１と噛み合う少なくとも一つの受動歯車３０が設置され、支軸上に、移動座４が螺着された雄ねじ３１が設けられ、上記移動座４内に磁石４０が設置され、該磁石４０が鏡座の裏面に張り付かれ、該移動座４に、支軸３の雄ねじ３１と互いに螺着する雌ねじ４１が設けられ、サイドミラー正面の鏡面に、磁石５２を設けたワイパー５が設置され、該磁石５２が移動座４の磁石４０と互いに吸引し、駆動モータ２によって連動されて支軸３が回転し、支軸３上の移動座４が支軸３上を移動し、鏡面上のワイパー５が移動座の磁石によって吸引されて、連動され、ワイパーが鏡面上を往復移動し、サイドミラー鏡面上の水滴を拭き取る。【選択図】図２
2010000844.tif 000002
【特許請求の範囲】
【請求項１】
主として、サイドミラーの鏡座の正面に、鏡面が設けられ、上記鏡座の裏面に、駆動モータが設置され、上記駆動モータのスピンドルに、駆動歯車が設けられ、上記鏡座の裏面に、少なくとも一つの支軸が設けられ、該支軸上に、少なくとも一つの受動歯車が設置され、該受動歯車は、駆動歯車と噛み合い、支軸上に、雄ねじが設けられ、支軸の雄ねじに、移動座が螺着され、上記移動座内に、磁石が設置され、該磁石が、鏡座の裏面に張り付かれ、該移動座に、支軸の雄ねじと互いに螺着する雌ねじが設けられ、サイドミラー正面の鏡面に、ワイパーが設置され、該ワイパー内に、磁石があり、該磁石が、移動座の磁石と互いに吸引する、
ことを特徴とする車両サイドミラーワイパー構造。
【発明の詳細な説明】
【技術分野】
【０００１】
本発明は、車両サイドミラーワイパー構造に関し、特に、ワイパー内に磁石があり、鏡座の裏面に、移動座が設けられ、該移動座内に、ワイパーの磁石と互いに吸引する磁石があり、ワイパーが、鏡面に張り付くようになり、駆動モータにより、支軸が回転し、移動座が、支軸上を移動して、鏡面上のワイパーが吸引されて移動し、また、ワイパーが、鏡面上を移動するとともに、鏡面上の水滴を除去して、鏡面が、綺麗になるものに関する。
【背景技術】
【０００２】
一般の車両運転手が、左右のサイドミラーを利用して、後方の車両の動向を了解し、カーブや追い越し、車線変化或いは駐車の時、周りの状況を把握するが、車両のサイドミラーが、車体の外側に設置され、雨の日の時、雨水が、車両のサイドミラー鏡面に付着するため、サイドミラー鏡面に水滴が散在して、可視度が低下され、サイドミラーの作用が影響されて、運転手が、サイドミラーで、はっきりに、後方の状況を把握できず、走行の安全性が低減される。
【０００３】
本発明者は、上記欠点を解消するため、慎重に研究し、また、学理を活用して、有効に上記欠点を解消でき、設計が合理である本発明を提案する。
【発明の開示】
【発明が解決しようとする課題】
【０００４】
本発明の主な目的は、車両のサイドミラー鏡面にある水滴を除去して、鏡面上に、状況がはっきりに映される車両サイドミラーワイパー構造を提供する。
【課題を解決するための手段】
【０００５】
本発明に係る車両サイドミラーワイパー構造は、サイドミラー鏡座の正面に、鏡面が設けられ、上記鏡座の裏面に、駆動モータが設置され、上記駆動モータのスピンドルに、駆動歯車が設けられ、上記鏡座の裏面に、少なくとも一つの支軸が設けられ、該支軸上に、少なくとも一つの受動歯車が設置され、該受動歯車は、駆動歯車と噛み合い、支軸上に、雄ねじが設けられ、支軸の雄ねじに、移動座が螺着され、上記移動座内に、磁石があり、該磁石が、鏡座の裏面上に張り付かれ、該移動座に、支軸の雄ねじと螺着する雌ねじが設けられ、サイドミラー正面の鏡面に、ワイパーが設置され、該ワイパー内に、磁石があり、該磁石が、移動座の磁石と互いに吸引する、ことを特徴とする車両サイドミラーワイパー構造。
【０００６】
以下、図面を参照しながら、本発明の特徴や技術内容について、詳しく説明するが、それらの図面等は、参考や説明のためであり、本発明は、それによって制限されることが無い。
【発明を実施するための最良の形態】
【０００７】
本発明のより良い実施例は、図１〜図５のように、主として、サイドミラー１の鏡座１０の裏面に、駆動モータ２が設置され、上記駆動モータ２のスピンドル２０に、駆動歯車２１が設けられ、上記鏡座１０の裏面に、２組の対向する固定突出１１が設けられ、上記二つの対向する固定突出１１の間に、支軸３が設けられ、該二つの支軸３が、平行に設置され、二つの支軸３上に、それぞれ、受動歯車３０が設けられ、該受動歯車３０が、駆動歯車２１に噛み合い、支軸３の軸桿上に、雄ねじ３１が設けられ、二つの支軸３上に、それぞれ、移動座４が設置され、該移動座４内に、磁石４０があり、該磁石４０が、強力磁石であり、該磁石４０が、鏡座１０の裏面に張り付き、該移動座４に、支軸３の雄ねじ３１と互いに螺着する雌ねじ４１が設けられ、鏡座１０の正面に、鏡面１２が設置され、鏡座１０の正面の一側に、遮蔽蓋１３が設けられ、該遮蔽蓋１３内に、収納室１４が形成され、鏡面１２に、ワイパー５が設置され、該ワイパー５に、プラスチック材質からなる固定座５０があり、該固定座５０に、二つの凹室５１が設けられ、凹室５１内に、強力磁石である磁石５２があり、該磁石５２が、移動座４上の磁石４０と互いに吸引し、該固定座５０において、凹室５１上に、条状であるストッパー５３が形成され、該ストッパー５３により、磁石５２が直接に鏡面１２に張り付かないようになり、それにより、磁石５２により鏡面１２に傷付くことを防止でき、固定座５０の外部に、柔軟性のゴム材質からなるブラシ５４が覆われ、該ブラシ５４の内面の両側に、ともに、凸条５５が設けられ、該凸条５５が、鏡面１２に接触し、該ブラシ５４の外部に、少なくとも一つの係合体５６が設けられ、該係合体５６により、ブラシ５４と固定座５０とが、一体になり、以上のように、車両サイドミラーのワイパー構造が構成される。
【０００８】
サイドミラー１の鏡面１２上の水滴を拭き取る時、図４〜図７のように、駆動モータ２を起動して、駆動歯車２１により、二つの支軸３上の受動歯車３０が連動されて回転し、二つの受動歯車３０により、それぞれ、二つの支軸３が回転し、二つの支軸３に設置された二つの移動座４が、雄ねじ３１の螺旋回転により連動され、二つの移動座４が、二つの支軸３上を移動し、移動座４が支軸３上を移動する時、移動座４の磁石４０が、鏡面１２上のワイパー５の磁石５２により吸引されて移動し、これにより、ワイパー５が連動され移動し、ワイパー５が、鏡面１２に接触する凸条５５で、鏡面１２から水滴を拭き取り、上記のように、ワイパー５で、確実に鏡面１２から雨滴を拭き取り、また、ワイパー５が、鏡座１０裏面にある移動座４の磁石４０によって吸引されて、鏡面１２の外端縁まで移動されると（図７のように）、その駆動モータ２が、逆方向に回転することにより、駆動歯車２１により、二つの支軸３上の受動歯車３０が、逆方向に回転し、二つの受動歯車３０により、それぞれ、二つの支軸３が、連動されて逆方向に回転し、二つの支軸３上の二つの移動座４が、二つの支軸３上を逆方向に移動し、移動座４の磁石４０により、ワイパー５が、逆方向に移動し、そして、鏡面１２に接触する凸条５５で、ワイパー５が、逆方向に移動する時でも、雨水の水滴を鏡面１２から拭き取り、これにより、車両のサイドミラー１の鏡面１２が、綺麗に保たれ、運転手が、はっきりに鏡面１２に映された状況を把握して、走行安全を確保でき、ワイパー５を使用しない時、該ワイパー５が、鏡座１０の収納室１４内まで移動し（図２〜図４のように）、鏡座１０の遮蔽蓋１３により、ワイパー５が遮蔽されて、ワイパー５を使用しない時、露出しなく、これによりも、ワイパー５の耐用寿命が向上される。
【０００９】
そのため、本発明は、より進歩的かつより実用的で、法に従って特許請求を出願する。
【００１０】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００１１】
【図１】本発明の鏡座正面とワイパーから見る時の斜視分解図
【図２】本発明の鏡座の裏面から見る時の斜視図
【図３】本発明のワイパーが鏡座の収納室に収納される時の斜視図
【図４】本発明の鏡座の裏面の概念図
【図５】本発明の側面断面概念図
【図６】本発明のワイパーの使用状態の参考図（１）
【図７】本発明のワイパーの使用状態の参考図（２）
【符号の説明】
【００１２】
１    サイドミラー
１０  鏡座
１１  固定突出
１２  鏡面
１３  遮蔽蓋
１４  収納室
２    駆動モータ
２０  スピンドル
２１  駆動歯車
３    支軸
３０  受動歯車
３１  雄ねじ
４    移動座
４０  磁石
４１  雌ねじ
５    ワイパー
５０  固定座
５１  凹室
５２  磁石
５３  ストッパー
５４  ブラシ
５５  凸条
５６  係合体
【図１】
2010000844.tif 000003
【図２】
2010000844.tif 000004
【図３】
2010000844.tif 000005
【図４】
2010000844.tif 000006
【図５】
2010000844.tif 000007
【図６】
2010000844.tif 000008
【図７】
2010000844.tif 000009